(57)【要約】【課題】自立式スクリーンの展張時の傾きや皺を解消する機構を提供する。【解決手段】上下のアームが屈伸可能に連結された１対の伸縮アームの上下端を上部連結部材とベース部材とに連結し、伸張付勢手段で垂直に伸縮する略菱形のパンタグラフに対し、スクリーンの枠体部をベース部材に上端支持バーを上部連結部材にそれぞれ取り付け、スクリーンが垂直に伸縮する構成とした自立式スクリーンであって、伸張付勢手段は、スプリングを介し一端をベース部材に係止した左右のワイヤーの他端を、ベース部材両端に設けた滑車を介し反転させ左右反対側の下アーム中間部に係止し、滑車は取付位置を左右に調整可能にする。ワイヤーは各２本とし下アームの前後を均等付勢する。上端連結部材に伸縮アームの伸張動を個別に規制する可調整ストッパを設ける。上端支持バーに上向きの反りを設ける。【選択図】        図３
2004246162.tif 000002
【特許請求の範囲】
【請求項１】
屈伸可能に連結した上下アームからなる１対の伸縮アームを左右に対向させてその上下端を上部連結部材と下部ベース部材とに回動可能に連結して垂直に伸縮する略菱形のパンタグラフを構成し、該パンタグラフには伸張付勢手段を設ける一方、巻取収納機構を備えたスクリーンの枠体部を前記ベース部材にまた上端支持バーを前記上部連結部材にそれぞれ水平に取り付け、スクリーンシートが前記パンタグラフとともに伸縮可能に構成した自立式スクリーンであって、前記伸張付勢手段は、付勢スプリングを介し一端を前記ベース部材に係止した左右のワイヤーを、前記ベース部材の両端に取り付けた滑車にそれぞれ巻き掛けて内方に反転させ、その互いの他端を左右反対側の前記下アーム中間部にそれぞれ係止してパンタグラフを伸張付勢する構成となすとともに、前記滑車は取付位置を左右に調整可能にした自立式スクリーンの調整機構。
【請求項２】
前記パンタグラフの伸張付勢手段が、ベース部材両端の滑車を下段アームの前後に配置した各２個の滑車で構成するとともに、付勢スプリングを介し一端をベース部材に係止する左右のワイヤーは左右各２本で構成し、その各ワイヤーを前記各滑車にそれぞれ個別に巻き掛けて内方に反転させ、前記下アームの前後側面に沿う様に導いてその他端を左右反対側の前記下アーム中間部の前後にそれぞれ係止してパンタグラフを伸張付勢する構成となすとともに、前記滑車は取付位置を左右に調整可能にした請求項１記載の自立式スクリーンの調整機構。
【請求項３】
屈伸可能に連結した上下アームからなる１対の伸縮アームを左右に対向させてその上下端を上部連結部材と下部ベース部材とに回動可能に連結して垂直に伸縮する略菱形のパンタグラフを構成し、該パンタグラフには伸張付勢手段を設ける一方、巻取収納機構を備えたスクリーンの枠体部を前記ベース部材にまた上端支持バーを前記上部連結部材にそれぞれ水平に取り付け、スクリーンシートが前記パンタグラフとともに伸縮可能に構成した自立式スクリーンであって、パンタグラフの上アーム先端部を連結する上部連結部材には、パンタグラフが伸張した状態において前記上アームのそれぞれの先端部の側面に個別に当接してパンタグラフの伸張動を規制する可調整のストッパ機構を設けてなる自立式スクリーンの調整機構。
【請求項４】
屈伸可能に連結した上下アームからなる１対の伸縮アームを左右に対向させてその上下端を上部連結部材と下部ベース部材とに回動可能に連結して垂直に伸縮する略菱形のパンタグラフを構成し、該パンタグラフには伸張付勢手段を設ける一方、巻取収納機構を備えたスクリーンの枠体部を前記ベース部材にまた上端支持バーを前記上部連結部材にそれぞれ水平に取り付け、スクリーンシートが前記パンタグラフとともに伸縮可能に構成した自立式スクリーンであって、前記上端支持バーが、左右両端部が上方に僅かに反る形に初期変形し、且つスクリーンシートの水平端部が前記上端支持バーに対し上方に反った軸心に沿って接着または挟持され、スクリーンシートをほぼ最高レベルに展張した際に、上端支持バーに作用するスクリーンシートの重力と巻取収納機構の巻込み付勢力とが上端支持バーの初期変形をほぼ水平に矯正する関係に設定してなる自立式スクリーンの調整機構。
【発明の詳細な説明】
【０００１】
【発明の属する技術分野】
本発明は、映写用スクリーンの技術に係わり、更に詳しくは、手動昇降形自立式スクリーンにおいて、スクリーン面が傾いたり偏向したり皺が発生しないよう正確に展張させるために設けるスクリーンの調整機構の構造に関するものである。
【０００２】
【従来の技術】
ホームシアターなど家庭用ホームスクリーンなどの分野においては、先行技術として種々の形態が知られている。その一例として、中央部が回動可能にクロス連結された中間アームと、該中間アームの上下端にそれぞれ回動可能に連結した左右対向する各１対の上下アームと、前記下アーム基端部を回動可能に連結したベース部材と、前記上アーム先端部を回動可能に連結した上部連結部材とにより、垂直に伸縮する略菱形が上下２段に連なる形態のパンタグラフを構成するとともに該パンタグラフにはパンタグラフを伸張付勢し且つ高さを保持する手段を備える一方、巻取収納機構を備えたスクリーンの枠体部を前記ベース部材にまたスクリーンシートの上端支持バーを前記上端連結部材にそれぞれ水平に取り付け、スクリーンシートが前記パンタグラフとともに伸縮可能に構成した自立式スクリーンが知られている（例えば、特許文献１参照）。この従来の自立式スクリーンは、パンタグラフの構成部材の製作精誤差、組み立て誤差、伸張付勢手段の付勢力のアンバランス、或いは上部支持バーの撓み等々に起因して狂いが生じ、展張時に傾いたり、左右に捻れてスクリーン面が正確に正面に向かず偏向したり、或いはスクリーン面に皺が発生したりするといった問題がある。
【０００３】
【特許文献１】
特開２０００−１３１７６６号公報（第６頁、図１参照）
【０００４】
【発明が解決しようとする課題】
前述の状況に鑑み本発明が解決しようとする課題は、展張時に傾いたり、左右に捻れてスクリーン面が正確に正面に向かず偏向したり、或いは上端支持バーの撓みに伴ってスクリーン面に皺が発生するなどといった現象が生じないような調整機構や機能を備え、正確且つ確実に展張可能な自立式スクリーンを提供する点にある。
【０００５】
【課題を解決するための手段】
前述の課題を解決するため、本発明の自立式スクリーンは、屈伸可能に連結した上下アームからなる１対の伸縮アームを左右に対向させてその上下端を上部連結部材と下部ベース部材とに回動可能に連結して垂直に伸縮する略菱形のパンタグラフを構成し、該パンタグラフには伸張付勢手段を設ける一方、巻取収納機構を備えたスクリーンの枠体部を前記ベース部材にまた上端支持バーを前記上部連結部材にそれぞれ水平に取り付け、スクリーンシートが前記パンタグラフとともに伸縮可能に構成する。そして、前記伸張付勢手段は、付勢スプリングを介し一端を前記ベース部材に係止した左右のワイヤーを、前記ベース部材の両端に回転可能に取り付けた滑車にそれぞれ巻き掛けて内方に反転させ、その互いの他端を左右反対側の前記下アーム中間部にそれぞれ係止してパンタグラフを伸張付勢する構成となし、前記滑車は取付位置を左右に調整可能にする。
【０００６】
前記において、パンタグラフの伸張付勢手段は、ベース部材両端の滑車を下段アームの前後に配置した各２個の滑車で構成するとともに、付勢スプリングを介して一端をベース部材に係止した左右のワイヤーは左右各２本で構成し、その各ワイヤーを前記各滑車にそれぞれ個別に巻き掛けてともに内方に反転させ、前記下アームの前後側面に沿う様に導いてその他端を左右反対側の前記下アーム中間部の前後にそれぞれ係止してパンタグラフを伸張付勢する構成としてもよい。
【０００７】
一方、前記のような自立式スクリーンにおいて、パンタグラフの上アーム先端部を連結する上部連結部材には、パンタグラフが伸張した状態において前記上アームのそれぞれの先端部の側面に個別に当接してパンタグラフの伸張動を規制する可調整のストッパ機構を設けると都合がよい。或いは、前記上端支持バーを、左右両端部が上方に僅かに反る形に初期変形させ、且つスクリーンシートの水平端部が前記上端支持バーに対し上方に反った軸心に沿って接着または挟持され、スクリーンシートをほぼ最高レベルに展張した際に、上端支持バーに作用するスクリーンシートの重力と巻取収納機構の巻込み付勢力とが上端支持バーの初期変形をほぼ水平に矯正する関係に設定しておくと好都合である。
【０００８】
【発明の実施の形態】
つぎに本発明の実施の形態を添付図面に基づき詳細に説明するが、本発明は添付図面に示された形態に限定されず特許請求の範囲に記載の要件を満たす実施形態のすべて含むものである。図１は、本発明に係る自立式スクリーンの実施例を示し、スクリーンを引き出した状態を背面から見た図である。図２には、このスクリーンの収納状態を拡大して示し、図３にはこのスクリーンを斜め上から見た斜視図を示している。図４は、図１のスクリーンの伸張付勢装置の滑車取付部を拡大した部分図で、（ａ）は水平断面、（ｂ）は正面、（ｃ）は支軸の斜視図をそれぞれ示している。図６は、図１のスクリーンのパンタグラフ上端連結部材の部分を拡大し図１と同方向から見た部分図で、（ａ）はストッパを上アーム外側に設けた実施例、（ｂ）はストッパを上アーム内側に設けた実施例をそれぞれ示している。図７は、図１のスクリーンにおいて、スクリーンシート上端支持バーの両端を上方に反りを設けた場合の説明図で、（ａ）はスクリーンの展張途中の状態、（ｂ）はスクリーンを最上端に展張完了した状態をそれぞれ示している。なお、図５は滑車取付部の別の実施例を示す。
【０００９】
図において、自立式スクリーン１は、屈伸可能に互いの一端を連結した上下アーム２１，２２および３１，３２からなる１対の伸縮アーム２０，３０を連結部が互いに左右外方向に屈折するように対向させてその上下端を上部連結部材１６とベース部材６とにそれぞれ回動可能に連結して垂直に伸縮する略菱形のパンタグラフ１５を構成し、下アーム２１，３１とベース部材６との間にはパンタグラフ１５の伸張付勢手段４０を設ける一方、内部にスクリーンシート４の巻取収納機構を備えたスクリーン本体２を、ベース部材６の下部に接合したスクリーン収納ケース３７で水平にその両端を支持し且つその上端支持バー５の中央部を上部連結部材１６に水平に取り付け、スクリーンシート４がパンタグラフ１５とともに伸縮してスクリーンシート４の展張時にはスクリーンシート４がパンタグラフ１５で垂直に支持される構成にしている。
【００１０】
そしてパンタグラフ１５の伸張付勢手段４０は、スプリング９，１２を介し一端をベース部材６に係止した左右各２本のワイヤー１０，１０，１３，１３を、ベース部材６の両端に取り付けた左右それぞれ各２個の滑車８，８，１１，１１にそれぞれ巻き掛けて内方に反転させ、その互いの他端を左右反対側の下アーム２１，３１の中間部前後にそれぞれ係止し、これによって左右各２本のワイヤー１０，１０，１３，１３に作用するスプリング９，１２の引っ張り付勢力でパンタグラフ１５の下アーム２１，３１を互いに内方に引き寄せ、パンタグラフ１５を伸張方向に付勢する構成としている。
【００１１】
つぎに、上記構成からなる自立式スクリーン１の各部の構造を更に詳しく説明する。まず、スクリーン本体２は、一般に公知のスプリングロール式スクリーンであり、本体枠２ａ内に回転可能に支持されたスプリングロール３と、それに巻き取ったスクリーンシート４と、スクリーンシート４の末端を支持する上端支持バー５などで構成されている。スプリングロール３は、その内部に組み込まれたスプリング（図示しない）がこのロールをスクリーンシート４の巻き込み方向に付勢し、スクリーンシート４の引き出し力を弛めると自動的に巻き取る機能を備えている。なお、本体枠２ａは、ベース部材６を保持する本体ケース３７に対しスクリーン固定部材６ａ，６ａを介し両端が保持固定され、スクリーンシート４の引き出しと巻取時には本体枠２ａは回転せず内部のスプリングロール３のみが回転する構造となっている。
【００１２】
つぎに、パンタグラフ１５は、下面が水平で且つ中央に垂直のブラケット７を有するベース部材６と、ブラケット７に基端が回動可能に連結され且つ中間に屈伸部２３ａ，３３ａを有する左右１対の伸縮アーム２０，３０と、伸縮アーム２０，３０の上端を回動可能に連結する上部連結部材１６とにより構成される。更に詳しく説明すると、伸縮アーム２０，３０は、左右１対の下アーム２１，３１のそれぞれの上端に一体的に取り付けられた連結具２１ａ，３１ａと、左右１対の上アーム２２，３２のそれぞれの下方端部２２ａ，３２ａとを連結ピン２３，３３で連結し、互いに左右外方に屈伸する姿勢で配置される。そしてこの伸縮アーム２０，３０それぞれの下アーム２１，３１の下端部２１ｂ，３１ｂはベース部材６の垂直のブラケット７に連結ピン２４，３４でそれぞれ回動可能に枢止するとともに、上アーム２２，３２の上端部２２ｂ，３２ｂは上端連結部材１６に連結ピン２５，３５でそれぞれ回動可能に連結し、垂直に伸縮する略菱形の自立式パンタグラフに構成している。
【００１３】
このパンタグラフ１５のベース部材６の左右両端は、スクリーン収納ケース３７の底面に固定されている。そして、収納ケース３７内の両端部にはスクリーン本体２の両端を固定部材６ａ，６ａで固定支持している。またパンタグラフ１５の上部連結部材１６には、スクリーンシート４の上端支持バー５の中央部を支持させる。パンタグラフ伸張付勢手段４０は、引き出されたスクリーンシート４の重力とスプリングロール３の巻込み付勢力とを合わせた下方の力に伸張付勢力がほぼバランスするように設定している。なお、ベース部材６および収納ケース３７の各底面は、平坦な水平面をなしスクリーンシート４を上端まで引き出しスクリーンが起立した状態で転倒しないような十分な奥行きと安定性とを有している。
【００１４】
つぎに、パンタグラフの伸張付勢手段４０の詳細構造について説明する。パンタグラフ１５の伸張付勢手段４０は、ベース部材６両端に、下アーム２１，３１を前後に挟む形でそれぞれ２個の滑車８，１１を配置し、スプリング係止部材１４でベース部材６の中央部に係止された付勢スプリング９，１２のそれぞれの他端に一端を係止した左右各２本のワイヤー１０，１０，１３，１３の各々をそれぞれ前後２個の滑車８，８および１１，１１にそれぞれ個別に巻き掛けて内方に反転させ、各下アーム２１，３１の前後側面に沿う様に導いてその他端を左右反対側の下アーム２１，３１中間部の前後にそれぞれ係止ピン２６，３６で係止して構成する。
【００１５】
なお、自立式スクリーン１には、ベース部材６の下面左右両端に接合する底板を備えた収納ケース３７を設けている。収納ケース３７は、略直方体の箱体の上面に開閉蓋３８を有する構造からなり、折りたたまれた状態のパンタグラフ１５とスクリーン本体２との全体を収納できる大きさに形成されている。この収納ケースは、スクリーン本体２両端を固定部材６ａ，６ａを介し支持固定するとともに、パンタグラフ１５のベース部材６の固定手段（図示しない）を備えている。開閉蓋３８には中央に開口３９が貫通形成され、この開口３９はスクリーンの上端支持バー５の上部中央に取り付けられたハンドル１７の位置に一致している。一方、スクリーン本体２はスクリーンシート４の幅と高さにより製品が数種類必要となる一方、パンタグラフ１５については数種類のスクリーンに共用が可能で、且つ収納時はほぼ同じ高さに折りたたむことが可能である。そのため収納ケース３７のパンタグラフ１５の図示しない固定手段の構造と寸法を共通化することにより、数種類のスクリーンに対し同一設計のパンタグラフが共用でき、パンタグラフの種類を少なくして量産によるコストダウンが図られる。
【００１６】
以上の構成により、自立式スクリーン１は、収納ケース３７の蓋３８を開き、スクリーンの上端支持バー５の上部中央のハンドル１７を手に持って上方に引き上げると、スクリーンシート４がスクリーン本体２から引き出され、パンタグラフ１５が伸張し、引き上げる動作を停止すると、引き出されたスクリーンシート４および上端支持バー５の重力およびスクリーンの巻取付勢機構（図示しない）の付勢力の合計が伸張付勢手段４０の伸張付勢力とほぼバランスしているので、その高さでスクリーンが垂直姿勢で保持される。また、収納時はハンドル３９を下方に押し下げるとパンタグラフ１５が収縮してスクリーンシート４が巻き取られる。そして、スクリーンをパンタグラフとともに収納ケース３７内に収納し、開閉蓋３８を閉じて開閉蓋３８のロック機構（図示しない）をロックし、開口３９からハンドル１７を引き出して手に下げて運搬することが可能である。
【００１７】
つぎにパンタグラフ１５の伸張付勢手段４０の滑車８，１１を左右に位置調整可能に取り付ける構造とその調整方法について説明する。滑車８および１１のそれぞれの支軸８ａ，１１ａは、それぞれ同じ構造で同じ取付構造を有している。図４に一方の（図１における右端の）滑車８，８とその支軸８ａ，８ａのベース部材６への取付部の詳細構造を示す。滑車８をベース部材６に対し取り付ける支軸８ａは、ベース部材６への取付部軸端が滑車８の中心から偏心する円形鍔部８ｂ（図４（ｃ）参照）となっており、支軸８ａを回転して取り付けることで前記偏心の作用効果で滑車８の位置を個別に左右に調整可能にしている。
【００１８】
更に詳しく説明すると、支軸８ａは、滑車８の中心Ａに形成した貫通孔にブッシュを介し回転可能に装着する滑車装着部と、その先端に滑車抜け止め用の割ピン装着孔とを有し、且つ支軸８ａの後端には前記滑車装着部（つまり滑車８の中心Ａ）から偏心量ｅ偏心した点Ｂを中心とする円形鍔部８ｂが一体形成されている。そして円形鍔部８ｂには、その円周端縁近傍に沿って円周を等分割する位置に（図示の例では円周方向に９０°毎に合計４個）ボルト穴が貫通形成されている。一方、ベース部材６のブラケット７の端部には、前記支軸８ａの滑車装着部が挿通され且つその滑車装着部が偏心量ｅを半径とする円周上を変位可能な大径の円形孔とその円形孔の外側に支軸８ａの前記円形鍔部のボルト穴と同じピッチ円でねじ孔を等間隔で多数（図示の例では４５°間隔で８個）形成している。滑車８と支軸８ａのベース部材６への組み付け時には、支軸８ａをベース部材６端部の前記大径貫通孔に挿通し、その先端にブッシュを介し滑車８を装着して割ピンで抜け止めするとともに、支軸８ａの円形鍔部のボルト穴の２箇所以上にボルトを装着してベース部材６の前記ねじ孔に固定する。そしてこの滑車８に前述のようにワイヤー１０を巻き掛けてパンタグラフ１５の伸張付勢手段４０を構成する。
【００１９】
パンタグラフ１５の左右のワイヤー１０，１３それぞれの伸張付勢力のアンバランスに起因してスクリーンの上端支持バー５が傾いたりなどした場合、例えば滑車８の支軸８ａの円形鍔部８ｂの取付ボルトを取り外し、円形鍔部８ｂをその中心Ｂを中心に左右いずれかの方向に回転させて再度取付ボルトで固定する。これにより滑車８の中心位置Ａが円形鍔部８ｂの中心Ｂを中心とし偏心量ｅを半径とする円Ｃの円弧に沿って移動し、滑車中心Ａが偏心量ｅの２倍のＡ１の位置までを移動範囲として左右に変位可能である。この位置調整は左右前後の滑車８，８，１１，１１の４個全てに対し個別に行うことが可能である。この調整により各ワイヤーの緊張力を個別に調整して付勢力の均衡をはかりスクリーンの傾きを調整することが可能となる。予めこのような初期調整しておくと、その後は常にスクリーンの上端支持バー５が水平になるようにスクリーンを展張することができる。
【００２０】
上記の滑車取付構造にすると、パンタグラフ１５の下アーム２１，３１に対し前後均等に付勢力を作用させ前後に偏った荷重を作用させないため、パンタグラフ１５に捻れが発生しない最も優れた構成である。一方、パンタグラフ１５を構成する各アームの剛性を高め、且つ下アーム２１，３１下端のベース部材６への枢止部が偏心荷重に対し十分耐え得るしっかりした構造にした場合、パンタグラフ１５の付勢手段は、上記とは別に、滑車８，１１をそれぞれ各１個とし且つ左右のワイヤー１０，１３もこれに合わせて各々１本で構成した簡略形にすることも可能である。後者の場合も前述と同様の方法でパンタグラフ伸張付勢手段の滑車８，１１の位置を左右に調整し、左右の伸縮アーム２０，３０に作用する付勢力のバランス調整を行いスクリーンの傾きの修正を行うことができる。後者の場合は、アーム部材の強化と下端連結ピン２４，３４の嵌合部の精度向上が必要となる反面、滑車とワイヤーの数が前者の場合の半分で済み製造コストを抑えることができ、調整作業時間も半分で済むといった作用効果が得られる。
【００２１】
なお、パンタグラフ１５の伸張付勢手段４０の滑車８，１１を左右に位置調整可能に取り付ける構造については、上記とは別の方法でも実施可能で、その実施例を図５に示す。図５において、滑車８，８は、ベース部材６前後の垂直なブラケット７，７の側端部に支軸１８でそれぞれ回転可能に取り付ける。各滑車８には、その中心から偏心した位置に支軸１８が貫通可能な支軸装着孔１８ａ、および支軸装着孔１８ａから距離ｅ離れた位置に固定ネジ挿入孔１９ａとを貫通形成する一方、ブラケット７，７には、支軸１８を装着固定可能な支軸取付孔１８ｂ，１８ｂを貫通形成するとともに、各支軸取付孔１８ｂを中心とし滑車１８の支軸装着穴１８ａと固定ネジ挿入孔１９ａとの距離を半径とする円に沿って固定ネジ１９が装着可能なネジ孔１９ｂをほぼ等間隔で多数形成する。このネジ孔１９ｂは、図示のように支軸取付穴１８ｂの中心を通る水平線の下側１８０°の範囲に１０個ほど形成する。そしてパンタグラフ１５のベース部材６の前後ブラケット７，７間の両端に滑車８，８を支軸１８で装着支持するとともに、固定ネジ１９をネジ孔１９ｂに装着してその先端部を滑車８の固定ネジ挿入孔１９ａに挿入し滑車８を固定する。上記構造は、滑車８，８および１１，１１全てに共通している。つぎに前述のようにワイヤー１０，１３を巻き掛けパンタグラフ１５を組み立てる。
【００２２】
上記のようにパンタグラフ１５を組み立てた後で、左右の伸張付勢力にアンバランスがあるなどの原因でスクリーンが傾いた場合、４個の滑車８，８，１１，１１のうち適宜の滑車（例えば８）の固定ネジ１９を取り外して滑車８を回転する。例えば図５の場合、滑車８を左回転させると滑車８の中心が右方へ移動する。その作用でワイヤー１０が張力を増し、ワイヤー１０に連結された伸縮アーム２０の伸張付勢力が増加する。この要領で各滑車を左右いずれかの方向に位置調整し、各滑車８，８，１１，１１に巻き掛けたワイヤー１０，１０，１３，１３の張力がほぼ均等になるようにすると、パンタグラフ１５の伸縮アーム２０，３０のそれぞれの付勢力を均等に設定して捻れと傾きをなくする。
【００２３】
一方、上記の自立式スクリーンは、図６の（ａ）または（ｂ）に示す様に、パンタグラフ１５の伸縮アーム２０，３０それぞれの上アーム２２，３２の先端部を連結する上部連結部材１６には、パンタグラフ１５が伸張した状態において上アーム２２，３２のそれぞれの先端部２２ｂ，３２ｂ側面に個別に当接してパンタグラフ１５の伸張動を規制する可調整のストッパ機構４１または４１ａを設ける。
【００２４】
図６（ａ）のストッパ機構４１は、上アームの上端連結ピン２５，３５装着部よりも先端側に上端部２２ｂ，３２ｂの延長部２２ｃ，３２ｃを設けるとともに、上端連結部材１６の左右側端にそれぞれ垂直壁を形成し、該垂直壁の上端連結ピン２５，３５装着部よりも上方位置にそれぞれ水平方向に貫通するねじ孔１６ａ，１６ａを形成し、そのねじ孔１６ａ，１６ａに六角穴付きボルトなどのネジ４２，４２をそれぞれ螺合させて構成している。このストッパ機構４１は、パンタグラフ１５が最上部近傍まで伸張してスクリーンシート４が展張された際に、ストッパ機構４１のネジ４２，４２の先端がアーム上端部延長部２２ｃ，３２ｃの外側面に当接してパンタグラフ１５のそれよりも高い位置への伸張動を規制するように作用する。
【００２５】
一方、図６（ｂ）のストッパ機構４１ａは、上端連結部材１６の上端連結ピン２５，３５装着部の内方に１対の互いに離隔する垂直壁を形成し、その垂直壁の上端連結ピン２５，３５装着部よりも下方側で上アーム上端部２２ｂ，３２ｂよりも下方位置にそれぞれ水平方向に貫通するねじ孔１６ｂ，１６ｂを形成し、そのねじ孔１６ｂ，１６ｂに六角ボルトなどのネジ４２ａ，４２ａをそれぞれ螺合させて構成している。このストッパ機構４１ａは、パンタグラフ１５が最上部近傍まで伸張してスクリーンシート４が展張された際に、ストッパ機構４１ａのネジ４２ａ，４２ａの先端がアーム上端部２２ｂ，３２ｂの内側面に当接してパンタグラフ１５のそれよりも高い位置への伸張を規制するように作用する。
【００２６】
このストッパ機構４１または４１ａは、ネジ４２または４２ａのねじ孔１６ａまたは１６ｂから突出する先端長さを個別に調整可能であり、その調整によりパンタグラフ１５の伸張時における左右の伸縮アーム２０，３０それぞれの上限高さの調整が可能となる。即ち、パンタグラフ１５の構成部材の製作誤差や組み立て誤差、または伸張付勢手段４０の左右のバランスの乱れなどに起因して、スクリーンを展張した際に上端支持バー５が左右に傾いた場合、ネジ４２または４２ａを個別に調整して上端支持バー５が水平になるように予め調整することができる。
【００２７】
また、図７（ａ）に示すように、上記自立式スクリーン１は、上端支持バー５を左右両端部が上方に僅かに反る形に初期変形させて製作するとともに、スクリーンシート４の先端水平端部を上端支持バー５の前記の反りに沿わせて接着または挟持しておく。その結果、この上方に反った上端支持バーを上方にしてスクリーンシート４を無負荷状態で垂下させると、図７（ａ）に示すように、スクリーンシート４の中央部が弛みごく緩やかなＵ字状の皺４２が発生する。
【００２８】
一方、スクリーン本体２の内部のスクリーンロール３には、スクリーンシート４を巻き込み付勢する巻取収納機構（図示しない）が内蔵され、この付勢力がスクリーンシートを介し上端支持バー５に伝達されるとともに、引き出されたスクリーンシート４と上端支持バー５の自重が上端支持バー５に作用する。スクリーンシート４を図７（ｂ）に示す様にほぼ最高レベルに展張した際には巻取収納機構の付勢力とスクリーンシート４の自重が最高に達し、上端支持バー５には強い力が下方に作用する。この作用力は、上端支持バー５の中央部を押し上げるパンタグラフ１５の伸張付勢力と対抗し、上端支持バー５の上方に反る初期変形を水平方向に矯正する作用をする。
【００２９】
従って、図７（ｂ）に示す状態即ち、スクリーンシート４をほぼ最高レベルに展張した状態において、巻取収納機構の付勢力とスクリーンシート４の自重と上端支持バー５の自重の合計が上端支持バー５の中央部を押し上げるパンタグラフ１５の伸張付勢力と対抗し、その双方の力で上端支持バー５の上方に反る初期変形がほぼ水平方向に矯正されるような関係に設定しておく。この関係を実現するには、上端支持バー５の素材としてやや可撓性を有する材料、例えばプラスチックなどの合成樹脂、バネ鋼、或いは木質系素材など適宜の材料を選択し、パンタグラフ１５の伸張付勢力程度の比較的小さな力で撓んで上端支持バー５の初期変形がほぼ水平に矯正される様な適宜の形状と寸法に成形する。この場合、実際のスクリーンを試作し、材質と形状と寸法の異なる上端支持バーを数種類準備し、これを順次付け替えてスクリーンシート４を展張するテストを行うことでも上端支持バーの最適な材質と形状と寸法および反りの大きさとの関係を容易に見いだすことができる。
【００３０】
なお、上端支持バー５の初期の反りの形状としては、中央付近から左右を互いにほぼ真っ直ぐに若干上方に曲折させてもよいし、緩やかな曲線で上方に反らせてもよいし、或いは厳密には、実際に用いる上端支持バー５の中央を水平に支持して全長に亘って実際とほぼ同じ条件で荷重を作用させた際の撓み形状を求め、その撓みにほぼ等しい曲線で上方に反る反りを形成してもよい。これにより、スクリーンシート４を展張すると、上端支持バー５の撓みによってスクリーン面に形成した初期の皺４２（図７（ａ）参照）が矯正され、スクリーンを弛みや皺の殆どない状態に展張させることができる。
【００３１】
【発明の効果】
請求項１に係る発明の自立式スクリーンは、スクリーンを垂直に伸縮する略菱形のパンタグラフの伸張付勢手段として、付勢スプリングを介し一端を前記ベース部材に係止した左右のワイヤーを、前記ベース部材の両端に取り付けた滑車にそれぞれ巻き掛けて内方に反転させ、その互いの他端を左右反対側の前記下アーム中間部にそれぞれ係止してパンタグラフを伸張付勢する構成となすとともに、前記滑車の取付位置を左右に調整可能にしたので、構成部材の僅かな製作誤差や組立誤差、またはパンタグラフの左右の下アームを互いに内方に引き寄せパンタグラフを伸張付勢する付勢力のアンバランスなどに起因してスクリーンに傾きが生じた場合、前記伸張付勢装置の滑車の取付位置を左右に調整することにより左右のワイヤーに作用する付勢力を個別に調整し、これによって上端支持バーが水平になるようにしてスクリーンの傾きを補正することができるといった作用効果がある。
【００３２】
請求項２に係る発明の自立式スクリーンは、スクリーンを垂直に伸縮する略菱形のパンタグラフの伸張付勢手段として前記請求項１の基本形態を採用するとともに、ベース部材両端の滑車を下段アームの前後に配置した各２個の滑車で構成し、付勢スプリングを介し一端をベース部材に係止する左右のワイヤーは左右各２本で構成し、その各ワイヤーを前記各滑車にそれぞれ個別に巻き掛けて内方に反転させ、前記下アームの前後側面に沿う様に導いてその他端を左右反対側の前記下アーム中間部の前後にそれぞれ係止してパンタグラフを伸張付勢する構成となすとともに、前記滑車の取り付け位置を左右に調整可能に構成した。即ち、このパンタグラフの伸張付勢機構は、下アームの前後両側にそれぞれ伸張付勢力を均等に作用させ、且つ下アーム前後の各ワイヤーはそれぞれ個別に滑車の取付位置を左右調整することで付勢力を個別調整可能である。つまり、この伸張付勢機構は、前記請求項１と同様の作用効果に加え、更に、下アームに作用する付勢力の前後バランスを調整しパンタグラフの前後の捻れ補正が可能となるといった作用効果も得られる。また、このようにベース部材左右の滑車をアームの前後に配置した構成にすることにより、スクリーンを収納する際に前後滑車間に互いの干渉を避けてアームを折りたたんでアームをより下方側に収納することが可能となり、より一層コンパクトで持ち運び容易な形態となるといった作用効果も得られる。
【００３３】
請求項３に係る発明の自立式スクリーンは、前述のような垂直に伸縮する略菱形のパンタグラフをスクリーンの展張手段となす自立式スクリーンであって、前記パンタグラフの上アーム先端部を連結する上部連結部材に、パンタグラフが伸張した状態において上アームのそれぞれの先端部の側面に個別に当接してパンタグラフの伸張動を規制する可調整のストッパを設けた構成にすることにより、パンタグラフの左右アームの高さを個別に調整することができる。即ち、前記ストッパを個別に調整することで、パンタグラフの左右アームに作用する伸張付勢力のアンバランスに起因する上端支持バーの左右傾斜を補正し、スクリーンを正しく展張させることが可能となるといった作用効果が得られる。
【００３４】
請求項４に係る発明の自立式スクリーンは、前述のような垂直に伸縮する略菱形のパンタグラフをスクリーンの展張手段となす自立式スクリーンであって、スクリーンの上端支持バーを、左右両端部が上方に僅かに反る形に初期変形させ、且つスクリーンシートの水平端部を前記上端支持バーに対し上方に反った軸心に沿って接着または挟持させた構成からなり、スクリーンをほぼ最高レベルに展張した時にスクリーンシートの重力と巻取収納機構の巻込み付勢力とが上端支持バーの前記初期変形をほぼ水平に矯正するような関係に設定している。これによって、スクリーン展張時にスクリーン面中央の初期皺が矯正され、スクリーンは垂直平面に展張される。初期変形のない真っ直ぐな上端支持バーにスクリーンの水平端部をその軸心に沿って接着または挟持させた従来のスクリーンは、スクリーンを展張際に上端支持バーの両端が下方に撓み、スクリーン面の中央に皺が発生する。これに対し本発明に係るスクリーンは、フリーな状態ではスクリーンの中央部に弛みを初期形成しておき、これを展張した際に上端支持バーの中央を押し上げ、上端支持バーに作用するスクリーンの重力と巻取収納機構の巻込み付勢力で両端を下方に撓ませて水平に矯正させ、この作用でスクリーン中央部に初期形成された弛みを消しスクリーンを皺のない垂直平面に展張する作用効果がある。
【図面の簡単な説明】
【図１】本発明に係る自立式スクリーンの実施例を示し、スクリーンを引き出した状態を背面から見た図である。
【図２】図１のスクリーンを収納した状態を拡大して示す図である。
【図３】図１のスクリーンを斜め上から見た斜視図である。
【図４】図１のスクリーンの伸張付勢装置の滑車取付部を拡大した部分図で、（ａ）は水平断面、（ｂ）は正面、（ｃ）は支軸の斜視図をそれぞれ示している。
【図５】滑車取付部の別の実施例を示す図である。
【図６】図１のスクリーンのパンタグラフ上端連結部材の部分を拡大し図１と同方向から見た部分図で、（ａ）はストッパを上アーム外側に設けた実施例、（ｂ）はストッパを上アーム内側に設けた実施例をそれぞれ示している。
【図７】図１のスクリーンにおいて、スクリーンシート上端支持バーの両端を上方に反りを設けた場合の説明図で、（ａ）はスクリーンの展張途中の状態、（ｂ）はスクリーンを最上端に展張完了した状態をそれぞれ示している。
【符号の説明】
１  自立式スクリーン
２  スクリーン本体
２ａ  本体枠
３  スプリングロール
４  スクリーンシート
５  上端支持バー
６  ベース部材
６ａ  スクリーン固定部材
７  ブラケット
８，１１  滑車
８ａ，１１ａ  支軸
８ｂ  円形鍔部
９，１２  スプリング
１０，１３  ワイヤー
１４  スプリング係止部材
１５  パンタグラフ
１６  上端連結部材
１６ａ，１６ｂ  ねじ孔
１７  ハンドル
１８    支軸
１８ａ  支軸装着孔
１８ｂ  支軸取付穴
１９        固定ネジ
１９ａ    固定ネジ装着孔
１９ｂ  ネジ孔
２０，３０  伸縮アーム
２１，３１  下アーム
２１ａ，３１ａ  連結具
２１ｂ，３１ｂ  下端部
２２，３２  上アーム
２２ａ，３２ａ  端部
２２ｂ，３２ｂ  上端部
２２ｃ，３２ｃ  延長部
２３，３３  中間連結ピン
２３ａ，３３ａ  屈伸部
２４，３４  下端連結ピン
２５，３５  上端連結ピン
２６，３６  ワイヤー係止ピン
３７  収納ケース
３８  開閉蓋
３９  開口
４０  伸張付勢手段
４１，４１ａ  ストッパ機構
４２，４２ａ  ネジ
４３  皺
【図１】
2004246162.tif 000003
【図２】
2004246162.tif 000004
【図３】
2004246162.tif 000005
【図４】
2004246162.tif 000006
【図５】
2004246162.tif 000007
【図６】
2004246162.tif 000008
【図７】
2004246162.tif 000009